【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
複数の画像を記憶する画像記憶手段と、
複数の端末装置の位置情報を取得する位置情報取得手段と、
この位置情報取得手段により取得された各端末装置の位置情報に基づき、互いに近接する端末装置のグループを判別する端末グループ判別手段と、
この端末グループ判別手段により判別された端末装置のグループ毎に、当該グループ内の各端末装置の数を検出するグループ内端末数検出手段と、
前記端末グループ判別手段により判別された端末装置のグループ毎に、画像を再生するタイミングを設定する再生タイミング設定手段と、
前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段と、
この再生画像指定手段により指定された各端末装置の各々に対応する一連の各再生画像を前記画像記憶手段に記憶された画像の中から読み出し、各対応する端末装置へ出力して表示させる画像出力手段と、
を備えたことを特徴とする画像表示装置。
【請求項２】
前記複数の端末装置の表示画面の方向情報を取得する方向情報取得手段と、
前記端末グループ判別手段により判別された端末装置のグループ毎に、前記方向情報取得手段により取得された各端末装置の方向に応じた画像テーマの種類を設定する画像テーマ設定手段とを備え、
前記画像記憶手段は、複数種類の画像テーマに分類された画像を記憶し、
前記再生画像指定手段は、前記端末グループ判別手段により判別された端末装置のグループ毎に、前記再生タイミング設定手段により設定された再生タイミングが来る都度、当該グループ内の各端末装置に対応付けて、前記画像テーマ設定手段により設定された画像テーマに分類されて前記画像記憶手段に記憶された画像の中から前記グループ内端末数検出手段により検出された端末数分の一連の各画像を順次再生画像として指定する、
ことを特徴とする請求項１に記載の画像表示装置。
【請求項３】
前記複数の端末装置の表示画面の方向情報を取得する方向情報取得手段と、
前記端末グループ判別手段により判別された端末装置のグループ毎に、前記方向情報取得手段により取得された各端末装置の方向に応じた画像変換の種類を設定する変換種類設定手段とを備え、
前記画像出力手段は、
前記再生画像指定手段により指定された各端末装置の各々に対応する一連の各再生画像を前記画像記憶手段に記憶された画像の中から読み出し、前記変換種類設定手段により設定された種類の画像変換により当該画像を変換する画像変換手段を有し、
この画像変換手段により変換された一連の各再生画像を各対応する端末装置へ出力して表示させる、
ことを特徴とする請求項１に記載の画像表示装置。
【請求項４】
前記画像出力手段は、一連の各再生画像を同じグループの各端末装置へ順次所定時間毎にずらして出力して表示させることを特徴とする請求項１に記載の画像表示装置。
【請求項５】
前記位置情報取得手段は、所定時間毎に複数の端末装置の位置情報を取得し、
前記端末グループ判別手段は、前記位置情報取得手段により所定時間毎に取得された各端末装置の位置情報に基づき、互いに近接する端末装置のグループを判別する、
ことを特徴とする請求項１に記載の画像表示装置。
【請求項６】
複数の端末装置との通信機能を有する電子機器のコンピュータを制御するためのプログラムであって、
前記コンピュータを、
複数の画像をメモリに記憶させる画像記憶手段、
複数の端末装置の位置情報を取得する位置情報取得手段、
この位置情報取得手段により取得された各端末装置の位置情報に基づき、互いに近接する端末装置のグループを判別する端末グループ判別手段、
この端末グループ判別手段により判別された端末装置のグループ毎に、当該グループ内の各端末装置の数を検出するグループ内端末数検出手段、
前記端末グループ判別手段により判別された端末装置のグループ毎に、画像を再生するタイミングを設定する再生タイミング設定手段、
前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段、
この再生画像指定手段により指定された各端末装置の各々に対応する一連の各再生画像を前記画像記憶手段に記憶された画像の中から読み出し、各対応する端末装置へ出力して表示させる画像出力手段、
として機能させるためのプログラム。
【請求項７】
予め設定された相互に近接する範囲内に配置された端末装置同士をグループ化して管理するグループ化手段と、
前記グループ化された端末装置の台数を検出する台数検出手段と、
前記グループ化された端末装置に、画像を再生するタイミングを設定する再生タイミング設定手段と、
前記グループ化された端末装置の台数に応じた数を単位に、一連の画像を前記グループ化された各端末装置の表示更新を行わせる表示更新手段と
を備えたことを特徴とする画像表示装置。
【請求項８】
複数種類の画像テーマに基づく一連の画像を複数記憶する記憶手段を有し、
前記グループ化手段は、複数のグループを管理する手段を含み、
前記再生タイミング設定手段は、前記グループ化された端末装置のグループ毎に、画像を再生するタイミングを設定する手段を含み、
前記表示更新手段は、前記グループ化された端末装置の台数に応じた数を単位に、前記複数のグループ化された端末装置に対して互いに異なる種類の一連の画像を前記記憶手段から読み出して前記端末装置の表示更新を行わせる手段を含む
ことを特徴とする請求項７記載の画像表示装置。
【請求項９】
前記表示更新手段は、前記グループ化された端末装置の台数（Ｎ台）に応じた数を単位に、前記記憶装置からＮ枚の一連の画像を読み出してＮ枚単位で画像の表示更新を行わせることを特徴とする請求項７記載の画像表示装置。
【請求項１０】
前記再生タイミング設定手段は、前記グループ化されたＮ台の端末装置にＮ枚の一連の画像を所定時間毎に順次ずらして再生させるように設定することを特徴とする請求項９記載の画像表示装置。
【手続補正２】
【補正対象書類名】明細書
【補正対象項目名】００１８
【補正方法】変更
【補正の内容】
【００１８】
請求項６に記載のプログラムは、複数の端末装置との通信機能を有する電子機器のコンピュータを制御するためのプログラムであって、前記コンピュータを、複数の画像をメモリに記憶させる画像記憶手段、複数の端末装置の位置情報を取得する位置情報取得手段、この位置情報取得手段により取得された各端末装置の位置情報に基づき、互いに近接する端末装置のグループを判別する端末グループ判別手段、この端末グループ判別手段により判別された端末装置のグループ毎に、当該グループ内の各端末装置の数を検出するグループ内端末数検出手段、前記端末グループ判別手段により判別された端末装置のグループ毎に、画像を再生するタイミングを設定する再生タイミング設定手段、前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段、この再生画像指定手段により指定された各端末装置の各々に対応する一連の各再生画像を前記画像記憶手段に記憶された画像の中から読み出し、各対応する端末装置へ出力して表示させる画像出力手段、として機能させることを特徴としている。
また、請求項７に記載の画像表示装置は、予め設定された相互に近接する範囲内に配置された端末装置同士をグループ化して管理するグループ化手段と、前記グループ化された端末装置の台数を検出する台数検出手段と、前記グループ化された端末装置に、画像を再生するタイミングを設定する再生タイミング設定手段と、前記グループ化された端末装置の台数に応じた数を単位に、一連の画像を前記グループ化された各端末装置の表示更新を行わせる表示更新手段とを備えたことを特徴としている。
また、請求項８記載の画像表示装置は、請求項７記載の画像表示装置において、複数種類の画像テーマに基づく一連の画像を複数記憶する記憶手段を有し、前記グループ化手段は、複数のグループを管理する手段を含み、前記再生タイミング設定手段は、前記グループ化された端末装置のグループ毎に、画像を再生するタイミングを設定する手段を含み、前記表示更新手段は、前記グループ化された端末装置の台数に応じた数を単位に、前記複数のグループ化された端末装置に対して互いに異なる種類の一連の画像を前記記憶手段から読み出して前記端末装置の表示更新を行わせる手段を含むことを特徴としてる。
また、請求項９記載の画像表示装置は、請求項７記載の画像表示装置において、前記表示更新手段は、前記グループ化された端末装置の台数（Ｎ台）に応じた数を単位に、前記記憶装置からＮ枚の一連の画像を読み出してＮ枚単位で画像の表示更新を行わせることを特徴としている。
また、請求項１０記載の画像表示装置は、前記再生タイミング設定手段は、前記グループ化されたＮ台の端末装置にＮ枚の一連の画像を所定時間毎に順次ずらして再生させるように設定することを特徴としている。